(57)【特許請求の範囲】
【請求項１】
（イ）水道水を浄化する浄水カートリッジと、（ロ）浄水の吐水・止水を制御する浄水弁と、（ハ）該浄水弁の操作部とを一体的に組み付けて成る浄水器ユニットを水栓に設けた接続口に接続し、取り付けてあり、
該浄水器ユニットは、前記水栓の水の管路に連通し、該水の管路の水を分岐して取り出す分岐管路を有していて、該水の管路からの分岐位置の下流側に前記浄水弁が設けてあるとともに、
前記浄水器ユニットには、前記水栓の吐水口とは別に、浄水を吐水する専用の浄水ノズルが更に組み付けてあることを特徴とする浄水器付水栓。
【請求項２】
請求項１において、前記操作部と浄水カートリッジとが同軸状に設けてあることを特徴とする浄水器付水栓。
【請求項３】
請求項２において、更に前記浄水弁が前記操作部及び浄水カートリッジ
と同軸状に設けてあることを特徴とする浄水器付水栓。
【請求項４】
請求項２，３の何れかにおいて、更に前記浄水ノズルが前記操作部及び浄水カートリッジと同軸状に設けてあることを特徴とする浄水器付水栓。
【請求項５】
請求項２〜４の何れかにおいて、前記浄水器ユニットが水栓本体に対して横向きに接続し、取り付けてあることを特徴とする浄水器付水栓。
【請求項６】
請求項１〜５の何れかにおいて、前記浄水ノズルが前記操作部から延び出していることを特徴とする浄水器付水栓。
【請求項７】
請求項１〜６の何れかにおいて、水の浄水器と湯の浄水器とを水栓に一体的に取り付けたことを特徴とする浄水器付水栓。
【発明の詳細な説明】
【０００１】
【発明の属する技術分野】
この発明は水道水を浄化する浄水器を備えた浄水器付水栓に関する。
【０００２】
【従来の技術】
この種浄水器付水栓として、従来図１２に示すようなものが公知である。
図示の例の浄水器付水栓２００はシングルレバー式の水栓であって、水栓本体２０２と、これから延び出した吐水管２０４と、その先端に設けられた吐水口２０６と、水栓本体２０２の上部に設けられたレバー式の水栓の操作部２０８とを有しており、その操作部２０８の操作に基いて吐水口２０６からの吐水と止水を行うようになっている。
【０００３】
水栓本体２０２には浄水器２１０の取付部２１２が横向き且つ水平に突出する状態で一体に形成されており、そこに浄水カートリッジ２１４と、浄水の吐水及び止水を制御する浄水弁及びその操作部２１６、更に浄水を吐水する浄水ノズル２１８がそれぞれ別々の箇所に且つ別々の方向を向いて取り付けられている。
【０００４】
この浄水器付水栓２００では、通常の水道水を吐水口２０６から吐水することができるとともに、浄水器２１０の操作部２１６を回転操作することで、浄水ノズル２１８から浄化した水を吐水することができる。
【０００５】
【発明が解決しようとする課題】
しかしながらこの浄水器付水栓２００の場合、浄水カートリッジ２１４，取付部２１２内部に組み込まれた浄水弁及びその操作部２１６，浄水ノズル２１８等がそれぞれ別々の箇所に且つ別々の方向を向いて取り付けられているため、浄水器２１０全体が嵩高く大きくなるとともに、外観が煩雑であって見栄えが悪く、加えて浄水カートリッジ２１４，操作部２１６，浄水ノズル２１８等が別々の位置から別々の方向に突出しているため全体の凹凸が大きく、このため清掃性も悪いといった問題があった。
更に従来の浄水器付水栓２００の場合専用の水栓が必要であって、水栓設置後において後付けで浄水器２１０を取り付けるといったことが困難である問題があった。
【０００６】
【課題を解決するための手段】
本発明の浄水器付水栓はこのような課題を解決するために案出されたものである。
而して請求項１のものは、（イ）水道水を浄化する浄水カートリッジと、（ロ）浄水の吐水・止水を制御する浄水弁と、（ハ）該浄水弁の操作部とを一体的に組み付けて成る浄水器ユニットを水栓に設けた接続口に接続し、取り付けてあり、該浄水器ユニットは、前記水栓の水の管路に連通し、該水の管路の水を分岐して取り出す分岐管路を有していて、該水の管路からの分岐位置の下流側に前記浄水弁が設けてあるとともに、前記浄水器ユニットには、前記水栓の吐水口とは別に、浄水を吐水する専用の浄水ノズルが更に組み付けてあることを特徴とする。
【０００７】
請求項２のものは、請求項１において、前記操作部と浄水カートリッジとが同軸状に設けてあることを特徴とする。
【０００８】
請求項３のものは、請求項２において、更に前記浄水弁が前記操作部及び浄水カートリッジと同軸状に設けてあることを特徴とする。
【０００９】
請求項４のものは、請求項２，３の何れかにおいて、更に前記浄水ノズルが前記操作部及び浄水カートリッジと同軸状に設けてあることを特徴とする。
【００１０】
請求項５のものは、請求項２〜４の何れかにおいて、前記浄水器ユニットが水栓本体に対して横向きに接続し、取り付けてあることを特徴とする。
【００１１】
請求項６のものは、請求項１〜５の何れかにおいて、前記浄水ノズルが前記操作部から延び出していることを特徴とする。
【００１２】
請求項７のものは、請求項１〜６の何れかにおいて、水の浄水器と湯の浄水器とを水栓に一体的に取り付けたことを特徴とする。
【００１３】
【作用及び発明の効果】
以上のように本発明の浄水器付水栓は、浄水カートリッジと浄水弁とその操作部とを一体的に組み付けてユニットとなし、その浄水器ユニットを水栓に設けた接続口に接続し、取り付けるようになしたもので、この浄水器付水栓にあっては、予め水栓に接続口を設けておいて、通常はその接続口を盲栓等により閉鎖した状態としておき、後において必要が生じたときにその接続口に浄水器ユニットを接続することが可能であって、浄水器を容易に後付けで通常の水栓に備え付けることができる利点がある。
またその取付けに際して、予め浄水器の各部材が一体のユニットとして組み付けられているため、浄水器の取付施工も容易である。
【００１４】
本発明では浄水カートリッジにて浄化した水を吐水する浄水ノズルを上記浄水器ユニットに水栓の吐水口とは別に一体的に組みつけておく。このようにした場合水栓ないし浄水器ユニットの内部構造を簡素化でき、また吐水の位置を変えることによって、現在吐水されているものが水道水であるのか又は浄水であるのか明確に分る利点が生ずる。
また本発明では浄水ノズルを浄水器ユニットに一体的に組み付けてあるため、その浄水器ユニットを水栓の接続口に接続するだけで、容易に後付けでその浄水ノズルを水栓に備え付けることができる。
【００１５】
請求項２のものは、上記操作部と浄水カートリッジとを同軸状に設けたもので、このようにすれば、浄水器における操作部と浄水カートリッジとが別々の位置から別々の方向に突き出した状態とならず、浄水器周りの外観がすっきりとして見栄えの良いものとなる。
また操作部及び浄水カートリッジの清掃性も良好となる。
【００１６】
請求項３のものは、更に浄水弁を操作部及び浄水カートリッジとともに同軸状に設けたもので、このようにすれば浄水器の外観が更にすっきりとなり見栄えもより良好になるとともに、清掃性も更に向上する。
【００１７】
本発明においては、浄水器ユニットに浄水ノズルを一体的に組み付ける場合において、その浄水ノズルを上記操作部及び浄水カートリッジ、更には場合によって浄水弁と同軸状に設けておくことができる（請求項４）。
このようにすれば更に浄水器の外観がすっきりとなって見栄えが向上し、また清掃性も更に向上する。
【００１８】
本発明においては、浄水器ユニットを水栓本体に対して横向きに接続し、取り付けることができる（請求項５）。このようにすれば簡単に浄水器ユニットを水栓本体に接続固定状態となすことができる。
但し本発明においては浄水器ユニットを水栓本体に対し下向き又は上向きに接続固定するようになすこともできる。
【００１９】
本発明では、浄水ノズルを操作部から延び出させておくことができる（請求項６）。
このようにすることで浄水ノズルに対する清掃性が向上する。
【００２０】
次に請求項７のものは、水の浄水器と湯の浄水器とを水栓にそれぞれ一体的に取り付けるようになしたもので、この浄水器付水栓にあっては、水のみならず湯が欲しい場合においてもこれを浄化した湯として取り出すことができる。
【００２１】
【実施例】
次に本発明の実施例を図面に基いて詳しく説明する。
図１は本例の浄水器付水栓（この例ではシングルレバー式混合水栓）を概念的に表したものであって、同図に示しているようにこの浄水器付水栓１０は、水栓本体１２とこれから延び出した吐水管１４とを有している。
吐水管１４は先端部に吐水ヘッド１６を有しており、その吐水ヘッド１６の吐水口１８から吐水を行うようになっている。
【００２２】
水栓本体１２の上部には、レバー式の水栓の操作部２０が上下及び左右回転可能に設けられている。
また一方、水栓本体１２の内部には水栓の弁部２２が設けられており、操作部２０の回転操作に基いて水と湯とが所定比率で混合された上、その混合水が通水路を構成する可撓性のホース２４を通じて吐水ヘッド１６へと送られる。
【００２３】
水栓本体１２には、浄水器ユニット２６が水平且つ横向きの状態で取り付けられている。
この浄水器ユニット２６は、水の分岐路上に設けられた浄水弁２８と、浄水弁２８を通過して送られて来た水（水道水）を浄化する浄水カートリッジ３０と、浄水を吐水する浄水ノズル３２とを有している。
【００２４】
図２は浄水器付水栓１０の具体的構成を外観状態で示したもので、同図に示しているように浄水器ユニット２６には、浄水カートリッジ３０と同軸状にレバー３４付きの回転式のハンドル（操作部）３６が設けられており、そのハンドル３６の回転操作によって、浄水弁２８が開閉されるようになっている。
また同図に示しているように、吐水管１４先端部の吐水ヘッド１６がホース２４とともに吐水管１４の固定の本体部から引出し可能とされている。
【００２５】
図３及び図４に浄水器ユニット２６の内部構造が詳しく示してある。ここで図３は浄水弁２８が閉弁したときの状態を、また図４は浄水弁２８が開弁したときの状態をそれぞれ表している。
これらの図に示しているように、浄水器ユニット２６は軸端部（図中左端部）に接続口４０を有しており（図５参照）、その接続口４０が、水栓本体１２側の接続口４２に接続されて水栓本体１２に取り付けられている。
ここで接続口４０と４２とはねじ接続されている。
【００２６】
浄水器ユニット２６は、円筒形状のボデー４４の中心部に水の分岐管路４６を有していて、この分岐管路４６が水栓本体１２内の水の管路４８に連通した状態となっており、水栓本体１２の水の管路４８内の水（水道水）が、この分岐管路４６内に分岐して取り出されるようになっている。
尚、水栓本体１２には水の管路４８と並列状態に湯の管路５０が設けられている。
【００２７】
浄水器ユニット２６はまた、円筒形状のケーシング５２を有していて、その内部に上記浄水弁２８が組み込まれている。
この浄水弁２８には上記のハンドル３６が連結されており、このハンドル３６の回転操作によって、浄水弁２８が一体に回転するようになっている。
【００２８】
浄水弁２８は、図６及び図７に示しているようにハンドル３６と一体に回転する円筒部材５４と、その円筒部材５４に保持された一対の円弧片５６とを有しており、それら一対の円弧片５６と５６との間に開口５８が形成されている。
この浄水弁２８は、一対の円弧片５６が図３及び図８（Ｉ）に示しているようにボデー４４の開口６０の軸直角方向外側に位置した状態で開口６０を閉鎖し、分岐管路４６内の水を遮断した状態となる。即ち浄水弁２８は閉弁した状態となる。
【００２９】
この状態からハンドル３６を図８（II）に示す位置まで９０°回転操作すると、ここにおいて一対の円弧片５６と５６との間の開口５８が、ボデー４４の開口６０の軸直角方向外側に位置する状態となり、ここにおいて水栓本体１２の水の管路４８内の水（水道水）が、図６及び図７に詳しく示すスリーブ６２の切欠き６４を通って図４中矢印で示すようにその外側の水路６６へと流出し、更に続いてボデー４４の開口６０を通じて再びその内部に流入し、その後浄水カートリッジ３０を通過してそこで浄化された上、ボデー４４から軸直角方向に延び出した浄水ノズル３２内に流出し、その先端から外部へと吐水される。
【００３０】
即ちハンドル３６を閉弁状態から９０°回転操作すると、浄水弁２８が開弁して、浄水ノズル３２の先端から浄水が吐水される。
またこの状態からハンドル３６を再び元の位置まで９０°回転操作すると、ここにおいて浄水弁２８が閉弁状態となり、吐水ノズル３２からの浄水の吐水が停止する。
【００３１】
以上の説明から明かなように、本例では浄水器ユニット２６が水栓本体１２に対して水平且つ横向きに取り付けられており、またこの浄水器ユニット２６における浄水カートリッジ３０とハンドル（浄水器の操作部）３６と浄水弁２８とが何れも同軸状に配置されて、それらが互いに組み付けられている。
【００３２】
従ってかかる本例の浄水器付水栓１０にあっては、必要が生じたときに水栓本体１２の接続口４２に浄水器ユニット２６の接続口４０を接続するだけで、浄水カートリッジ３０，ハンドル３６，浄水弁２８，浄水ノズル３２を含む浄水器ユニット２６を後付けで容易に通常の水栓に備え付けることができる。
また本例では水栓の吐水口１８とは別に専用の浄水ノズル３２が備え付けてあるため、現在吐水されているものが水道水であるのか又は浄水であるのかを使用者が明確に認識することができる。
【００３３】
本例では、従来の浄水器付水栓のようにハンドル３６，浄水カートリッジ３０，浄水ノズル３２等が別々の位置から別々の方向に突き出した状態となっておらず、ハンドル３６と浄水カートリッジ３０と浄水弁２８とが同軸状に設けられているため、浄水器周りの外観がすっきりとして見栄えが良く、また清掃性も良好である。
【００３４】
以上の実施例では浄水器ユニット２６を水栓本体１２に対し水平且つ横向きに取り付けているが、図９に示しているように水栓本体１２に取付部６８を一体に形成して、そこに浄水器ユニット２６をほぼ垂直下向きに取り付けるようになすこともできる。
但しこの場合、浄水ノズル３２の延び出す向きを浄水が下向きに吐水される向きに配向させておく。
【００３５】
図１０は本発明の更に他の実施例を示している。
この例では、水の浄水器ユニット２６と湯の浄水器ユニット２６とを、水栓本体１２に水平且つ横向きに取り付けており、それぞれを水栓本体１２内の水の管路４８と湯の管路５０とに接続してある。
【００３６】
而して水側の浄水器ユニット２６では、水の管路４８からの水を取り出して浄化し、これを浄水ノズル３２から吐水する。
また湯側の浄水器ユニット２６では、湯の管路５０から湯を取り出してこれを浄化し、浄水ノズル３２から吐水する。
この場合、湯側の浄水器ユニット２６では浄水ノズル３２から高温状態の浄化した湯が吐水される。
ここで湯側の浄水器ユニット２６における浄水カートリッジ３０は高温の湯を浄化するに適したものが用いられている。
【００３７】
本発明の浄水器付水栓１０は、上例以外にも様々な形態でこれを構成することが可能である。
図１１はその幾つかの例を示している。
この内（Ａ）の例は、浄水カートリッジ３０を回転可能となすとともにそこにレバー３４を設けて、この浄水カートリッジ３０に回転ハンドルとしての機能を持たせたものである。即ち浄水カートリッジ３０と回転ハンドルとを一体化した例である。
【００３８】
また（Ｂ）の例は、同じく浄水カートリッジ３０にレバー３４を設けて浄水カートリッジ３０と回転ハンドルとを一体化させた上、その浄水カートリッジ３０から浄水ノズル３２を同軸状に延び出させた例である。
尚浄水ノズル３２は先端部が下向きに曲っており、従ってここで浄水ノズル３２を浄水カートリッジ３０に同軸状に設けるとは、厳密にはその付根の部分を同軸状に設けることを意味している。
この図１１（Ｂ）の例にあっては、浄水器の外観が更にすっきりとなって見栄えが向上し、また浄水ノズル３２に対する清掃性が向上する。
【００３９】
次に図１１（Ｃ）の例は、ハンドル３６と浄水カートリッジ３０とを別々に設け、そしてその浄水カートリッジ３０から浄水ノズル３２を延び出させた例である。
また（Ｄ）の例は、（Ｃ）の例において浄水ノズル３２を浄水カートリッジ３０及びハンドル３６とは別の位置から延び出させた例である。
図１１に示しているように、これらの何れの実施例においても浄水カートリッジ３０とハンドル３６とは同軸状に配置してある。
また図示は省略しているがその内部の浄水弁２８もまたそれらと同軸状に配置してある。
【００４０】
図１１の実施例では、浄水器ユニット２６を水栓本体１２に対し水平横向きに取り付けているが、場合によって図９に示しているように水栓本体１２に対して垂直下向きに取り付けるようになすこともできるし、或いはまた図１０に示しているように水の浄水器ユニット２６と湯の浄水器ユニット２６とを全体で一対設けて、水の浄化と湯の浄化とをそれぞれで行うようになすといったことも可能である。
その他本発明はその主旨を逸脱しない範囲において種々変更を加えた形態で構成可能である。
【図面の簡単な説明】
【図１】  本発明の一実施例である浄水器付水栓の一例を概念的に表した図である。
【図２】  同じ実施例の浄水器付水栓の具体的構成を外観状態で示す図である。
【図３】  同じ実施例の浄水器ユニットとその周辺部の内部構造を浄水弁の閉弁状態で表した図である。
【図４】  同じ実施例の浄水器ユニットとその周辺部の内部構造を浄水弁の開弁状態で表した図である。
【図５】  同じ実施例の浄水器ユニットとその周辺部を分解した状態で表した図である。
【図６】  図５における浄水器ユニットの要部を更に分解して表した斜視図である。
【図７】  図５における浄水器ユニットの要部を更に分解して表した断面図である。
【図８】  同じ実施例の浄水器ユニットにおける浄水弁とその周辺部の横断面構造を閉弁状態と開弁状態とで表した図である。
【図９】  本発明の他の実施例の浄水器付水栓の要部を外観状態で表した図である。
【図１０】  本発明の更に他の実施例の浄水器付水栓を外観状態で表した図である。
【図１１】  本発明の更に他の各実施例の浄水器付水栓の各要部を外観状態で表した図である。
【図１２】  従来の浄水器付水栓の一例を表した図である。
【符号の説明】
１０  浄水器付水栓
１２  水栓本体
２６  浄水器ユニット
２８  浄水弁
３０  浄水カートリッジ
３２  浄水ノズル
３６  ハンドル（操作部）
４０，４２  接続口
【図１】
0004219537.tif 000002
【図２】
0004219537.tif 000003
【図３】
0004219537.tif 000004
【図４】
0004219537.tif 000005
【図５】
0004219537.tif 000006
【図６】
0004219537.tif 000007
【図７】
0004219537.tif 000008
【図８】
0004219537.tif 000009
【図９】
0004219537.tif 000010
【図１０】
0004219537.tif 000011
【図１１】
0004219537.tif 000012
【図１２】
0004219537.tif 000013